(57)【要約】【課題】自分の電話番号を教えることなく相手から電話を掛けてもらうことができるようにする。【解決手段】電話接続システム１０に、第一のユーザごとに連絡先とユーザＩＤとを対応付けて記憶するユーザ情報記憶部１Ｄ１と、第二のユーザから、第一のユーザに電話を掛けたい旨の要求をその第一のユーザのユーザＩＤとともに受け付ける接続要求受付部１１１と、受け付けられたユーザＩＤに対応する第一のユーザに対して、第二のユーザが要求を行っている旨の通知を行う通話要求通知部１２２と、第一のユーザから掛かってきた電話と第二のユーザから掛かってきた電話との接続を行う接続処理部１２４と、を設ける。【選択図】      図３
2004228676.tif 000002
【特許請求の範囲】
【請求項１】
第一のユーザごとに当該第一のユーザの連絡先と当該第一のユーザを識別するためのユーザＩＤとを対応付けて記憶するユーザ情報記憶手段と、
第二のユーザから、第一のユーザに電話を掛けたい旨の要求を当該第一のユーザの前記ユーザＩＤとともに受け付ける要求受付手段と、
前記要求受付手段によって受け付けられた前記ユーザＩＤに対応する第一のユーザに対して、当該ユーザＩＤに対応する、前記ユーザ情報記憶手段に記憶されている連絡先に基づいて、第二のユーザが前記要求を行っている旨の通知を行う通知手段と、
前記通知を受けた第一のユーザから掛かってきた電話と当該通知に係る前記要求を行った第二のユーザから掛かってきた電話との接続を行う接続手段と、
を有してなることを特徴とする電話接続システム。
【請求項２】
第一のユーザごとに当該第一のユーザの連絡先と当該第一のユーザを識別するためのユーザＩＤとを対応付けて記憶するユーザ情報記憶手段と、
第二のユーザから、第一のユーザに電話を掛けたい旨の要求を当該第一のユーザの前記ユーザＩＤおよび当該第二のユーザの連絡先とともに受け付ける要求受付手段と、
前記要求受付手段によって受け付けられた前記要求ごとに当該要求を識別するための受付ＩＤを発行する受付ＩＤ発行手段と、
前記受付ＩＤ発行手段によって発行された前記受付ＩＤを、当該受付ＩＤに対応する前記要求を行った第二のユーザに対して、前記要求受付手段によって受け付けられた当該第二のユーザの連絡先に基づいて第二の通知を行う第二の通知手段と、
第二のユーザから掛かってきた第二の電話を、前記受付ＩＤおよび当該第二の電話の発信元を示す電話番号とともに受け付ける第二の電話受付手段と、
前記第二の電話受付手段によって受け付けられた前記受付ＩＤに対応する前記要求に係る第一のユーザに対して、前記ユーザ情報記憶手段に記憶されている当該第一のユーザの連絡先に基づいて、第二のユーザが前記要求を行っている旨および当該受付ＩＤとともに受け付けられた前記第二の電話の発信元を示す電話番号の通知である第一の通知を行う第一の通知手段と、
前記第一の通知を受けた第一のユーザから掛かってきた第一の電話を受け付ける第一の電話受付手段と、
前記第一の通知を受けた第一のユーザから掛かってきた前記第一の電話と当該第一の通知に係る前記要求を行った第二のユーザから掛かってきた前記第二の電話との接続を行う接続手段と、
を有してなることを特徴とする電話接続システム。
【請求項３】
前記ユーザ情報記憶手段は、第一のユーザの連絡先として当該第一のユーザの電子メールアドレスを記憶し、
前記要求受付手段は、第二のユーザの連絡先として当該第二のユーザの電子メールアドレスを受け付け、
前記第一の通知手段は、電子メールによって前記第一の通知を行い、
前記第二の通知手段は、電子メールによって前記第二の通知を行う、
請求項２記載の電話接続システム。
【請求項４】
第一のユーザと第二のユーザとが電話による通話を行うための処理を行う電話接続システムであって、
第一のユーザごとに当該第一のユーザの電子メールアドレスおよび電話番号を当該第一のユーザを識別するためのユーザＩＤと対応付けて記憶するユーザ情報記憶手段と、
第二のユーザから、第一のユーザに電話を掛けたい旨の要求を、当該第一のユーザの前記ユーザＩＤおよび当該第二のユーザの電子メールアドレスおよび電話番号とともに受け付ける要求受付手段と、
前記要求受付手段によって受け付けられた前記要求に係る第一のユーザおよび当該要求を行った第二のユーザに対してそれぞれ当該電話接続システムの第一の電話番号および第二の電話番号を割り当てるとともに、当該要求に対して当該要求を識別するための受付ＩＤを発行する受付ＩＤ発行手段と、
前記要求受付手段によって受け付けられた前記要求に係る第一のユーザの、前記ユーザ情報記憶手段に記憶されている電話番号と、当該要求とともに受け付けられた第二のユーザの電話番号と、前記受付ＩＤ発行手段によって当該第一のユーザに割り当てられた前記第一の電話番号と、前記受付ＩＤ発行手段によって当該第二のユーザに割り当てられた前記第二の電話番号とを、前記受付ＩＤ発行手段によって発行された、当該要求に対応する前記受付ＩＤと対応付けて記憶する、受付情報記憶手段と、
前記受付ＩＤ発行手段によって発行された前記受付ＩＤを記載した電子メールを、当該受付ＩＤに対応する前記要求を行った第二のユーザの電子メールアドレスに送信することによって、当該第二のユーザに対して第二の通知を行う第二の通知手段と、
前記受付ＩＤ発行手段によって割り当てられた前記第二の電話番号を発信先として掛かってきた第二の電話を、当該第二の電話の発信元を示す電話番号とともに受け付ける第二の電話受付手段と、
第二の電話受付手段によって受け付けられた前記第二の電話の発信元を示す電話番号と第二のユーザが前記要求を行っている旨とを記載した電子メールを、前記ユーザ情報記憶手段に記憶されている、当該第二の電話とともに受け付けられた前記受付ＩＤに対応する前記要求に係る第一のユーザの電子メールアドレスに送信することによって、第一の通知を行う第一の通知手段と、
前記受付ＩＤ発行手段によって割り当てられた前記第一の電話番号を発信先として掛かってきた第一の電話を、当該第一の電話の発信元を示す電話番号とともに受け付ける第一の電話受付手段と、
前記第一の電話受付手段によって受け付けられた前記第一の電話の発信元を示す電話番号と、前記第二の電話受付手段によって受け付けられた前記第二の電話の発信元を示す電話番号と、当該第一の電話の発信先を示す前記第一の電話番号と、当該第二の電話の発信先を示す前記第二の電話番号とが、同一の前記受付ＩＤによって対応付けられている場合に、当該第一の電話と当該第二の電話との接続を行う接続手段と、
を有してなることを特徴とする電話接続システム。
【請求項５】
第二のユーザが第一のユーザに電話を掛ける際の電話の接続処理を行い、第一のユーザごとに当該第一のユーザの連絡先と当該第一のユーザを識別するためのユーザＩＤとを対応付けて記憶する記憶手段にアクセス可能なコンピュータに用いられるコンピュータプログラムであって、
第二のユーザから、第一のユーザに電話を掛けたい旨の要求を当該第一のユーザの前記ユーザＩＤとともに受け付ける処理と、
受け付けられた前記ユーザＩＤに対応する第一のユーザに対して、当該ユーザＩＤに対応する、前記ユーザ情報記憶手段に記憶されている連絡先に基づいて、第二のユーザが前記要求を行っている旨の通知を行う処理と、
前記通知を受けた第一のユーザから掛かってきた電話と当該通知に係る前記要求を行った第二のユーザから掛かってきた電話との接続を行う処理と、
をコンピュータに実行させるためのコンピュータプログラム。
【発明の詳細な説明】
【０００１】
【発明の属する技術分野】
本発明は、電話による通話のための接続の処理を行う電話接続システムに関する。
【０００２】
【従来の技術】
アナログ回線またはＩＳＤＮ回線の電話サービス、携帯電話サービス、ＰＨＳ電話のサービス、またはＩＰ電話（インターネット電話）のサービスなどの加入者は、サービス事業者（電話会社）から１つまたは幾つかの電話番号が与えられる。
【０００３】
この電話番号はユニークなものであるため、単に電話を掛ける際に用いられるだけでなく、加入者を識別する個人情報としても用いられる。例えば、ある業者は、電話番号に関する情報を、一種の財産として取り扱い、売買している。
【０００４】
よって、ほとんどの加入者は、自分が信頼できる相手にだけ自分の電話番号を教えたいと思っている。しかし、実際には、教えたくない相手に対して自分の電話番号を教えざるを得ない場合がしばしばある。
【０００５】
また、たとえ信頼できる相手であっても、自分が嫌いな相手であれば、電話番号を教えたくない。しかし、この場合も、電話番号を教えざるを得ない場合がしばしばある。
【０００６】
そこで、サービス事業者は、電話を掛ける際に自分の電話番号（発信者番号）を非通知にするサービス、相手から掛かってきた電話の電話番号を通知するサービス、および加入者からの申請に応じて電話番号を変更するサービスなどを実施している。
【０００７】
【非特許文献１】
”ナンバー・ディスプレイ”、ＮＴＴ東日本株式会社、［平成１５年１月２０日検索］、インターネット＜ＵＲＬ：ｈｔｔｐ：／／ｗｗｗ．ｎｔｔ−ｅａｓｔ．ｃｏ．ｊｐ／ｓｈｏｐ／ａｎｎａｉ／ｎｕｍｂｅｒ／ｎｕｍｂｅｒ−ｋ．ｈｔｍｌ  ＞
【０００８】
【発明が解決しようとする課題】
しかし、自分の電話番号を非通知にするサービスは、相手から自分に電話を掛けてもらう場合には、役に立たない。相手から掛かってきた電話の電話番号を通知してもらうサービスは、その相手が電話番号を非通知にして電話を掛けていれば、役に立たない。
【０００９】
電話番号を変更してもらうには、加入者は、所定の手数料（工事費）を支払わなければならない。また、電話番号を変更すると、加入者は、教えたくない相手以外の人たち（親戚、家族、友人、会社の同僚、または仕事の取引相手など）に新しい電話番号を知らせなければならないので、非常に面倒である。
【００１０】
本発明は、このような問題点に鑑み、自分の電話番号を教えることなく相手から電話を掛けてもらうことができるようにすることを目的とする。
【００１１】
【課題を解決するための手段】
本発明に係る電話接続システムは、第一のユーザごとに当該第一のユーザの連絡先と当該第一のユーザを識別するためのユーザＩＤとを対応付けて記憶するユーザ情報記憶手段と、第二のユーザから、第一のユーザに電話を掛けたい旨の要求を当該第一のユーザの前記ユーザＩＤとともに受け付ける要求受付手段と、前記要求受付手段によって受け付けられた前記ユーザＩＤに対応する第一のユーザに対して、当該ユーザＩＤに対応する、前記ユーザ情報記憶手段に記憶されている連絡先に基づいて、第二のユーザが前記要求を行っている旨の通知を行う通知手段と、前記通知を受けた第一のユーザから掛かってきた電話と当該通知に係る前記要求を行った第二のユーザから掛かってきた電話との接続を行う接続手段と、を有してなる。
【００１２】
または、第一のユーザごとに当該第一のユーザの連絡先と当該第一のユーザを識別するためのユーザＩＤとを対応付けて記憶するユーザ情報記憶手段と、第二のユーザから、第一のユーザに電話を掛けたい旨の要求を当該第一のユーザの前記ユーザＩＤおよび当該第二のユーザの連絡先とともに受け付ける要求受付手段と、前記要求受付手段によって受け付けられた前記要求ごとに当該要求を識別するための受付ＩＤを発行する受付ＩＤ発行手段と、前記受付ＩＤ発行手段によって発行された前記受付ＩＤを、当該受付ＩＤに対応する前記要求を行った第二のユーザに対して、前記要求受付手段によって受け付けられた当該第二のユーザの連絡先に基づいて第二の通知を行う第二の通知手段と、第二のユーザから掛かってきた第二の電話を、前記受付ＩＤおよび当該第二の電話の発信元を示す電話番号とともに受け付ける第二の電話受付手段と、前記第二の電話受付手段によって受け付けられた前記受付ＩＤに対応する前記要求に係る第一のユーザに対して、前記ユーザ情報記憶手段に記憶されている当該第一のユーザの連絡先に基づいて、第二のユーザが前記要求を行っている旨および当該受付ＩＤとともに受け付けられた前記第二の電話の発信元を示す電話番号の通知である第一の通知を行う第一の通知手段と、前記第一の通知を受けた第一のユーザから掛かってきた第一の電話を受け付ける第一の電話受付手段と、前記第一の通知を受けた第一のユーザから掛かってきた前記第一の電話と当該第一の通知に係る前記要求を行った第二のユーザから掛かってきた前記第二の電話との接続を行う接続手段と、を有してなる。
【００１３】
前記ユーザ情報記憶手段は、第一のユーザの連絡先として当該第一のユーザの電子メールアドレスを記憶し、前記要求受付手段は、第二のユーザの連絡先として当該第二のユーザの電子メールアドレスを受け付け、前記第一の通知手段は、電子メールによって前記第一の通知を行い、前記第二の通知手段は、電子メールによって前記第二の通知を行うようにしてもよい。
【００１４】
前記ユーザ情報記憶手段は、第一のユーザごとに当該第一のユーザにとって電話に応答したくない第二のユーザを記憶し、前記接続手段は、前記第二の電話受付手段によって受け付けられた前記第二の電話を掛けてきた第二のユーザが、当該第二の電話とともに受け付けられた前記受付ＩＤに対応する前記要求に係る第一のユーザにとって電話に応答したくない第二のユーザでない場合にのみ、前記接続を行うようにしてもよい。
【００１５】
または、前記ＩＤ発行手段は、第一のユーザおよび第二のユーザのそれぞれに対して当該電話接続システムの第一の電話番号および第二の電話番号を割り当る。前記受付情報記憶手段は、前記要求受付手段によって受け付けられた前記要求に係る第一のユーザの、前記ユーザ情報記憶手段に記憶されている電話番号と、当該要求とともに受け付けられた第二のユーザの電話番号と、前記受付ＩＤ発行手段によって当該第一のユーザに割り当てられた前記第一の電話番号と、前記受付ＩＤ発行手段によって当該第二のユーザに割り当てられた前記第二の電話番号とを、前記受付ＩＤ発行手段によって発行された、当該要求に対応する前記受付ＩＤと対応付けて記憶する。そして、前記接続手段は、前記第一の電話受付手段によって受け付けられた前記第一の電話の発信元を示す電話番号と、前記第二の電話受付手段によって受け付けられた前記第二の電話の発信元を示す電話番号と、当該第一の電話の発信先を示す前記第一の電話番号と、当該第二の電話の発信先を示す前記第二の電話番号とが、同一の前記受付ＩＤによって対応付けられている場合に、当該第一の電話と当該第二の電話との接続を行う。
【００１６】
【発明の実施の形態】
図１は通話システム１の構成の例を示す図、図２は電話接続システム１０のハードウェア構成の例を示す図、図３は電話接続システム１０の機能的構成の例を示す図、図４はユーザ情報データベースＤＢ１の例を示す図、図５は受付情報データベースＤＢ２の例を示す図、図６は登録用画面ＨＧ１の例を示す図、図７は登録完了メッセージＭＧ１の例を示す図、図８は接続要求受付画面ＨＧ２の例を示す図、図９は受付完了メッセージＭＧ２の例を示す図、図１０は応答要求メッセージＭＧ３の例を示す図である。
【００１７】
図１に示すように、通話システム１は、本発明に係る電話接続システム１０、電話機２、端末装置３、データ通信回線４１、および電話回線４２などによって構成される。電話接続システム１０と端末装置３とは、データ通信回線４１を介して互いに接続可能である。電話接続システム１０と電話機２とは、電話回線４２を介して互いに接続可能である。
【００１８】
データ通信回線４１および電話回線４２として、インターネット、ＬＡＮ、アナログ公衆回線、ＩＳＤＮ、携帯電話回線、ＰＨＳ回線、または専用線などが用いられる。電話接続システム１０と端末装置３との間では、ＴＣＰ／ＩＰおよびその上位プロトコルであるＨＴＴＰ、ＳＭＴＰ、およびＰＯＰ３などの通信規約（プロトコル）に基づいてデータ通信が行われる。電話接続システム１０と電話機２との間では、一般の加入電話、携帯電話、ＰＨＳ、またはＩＰ電話（インターネット電話）などの通信規約に基づいて音声通信が行われる。
【００１９】
電話機２として、例えば、アナログ回線用の電話機、ビジネスフォン、携帯電話端末、またはＰＨＳ端末などが用いられる。端末装置３として、例えば、電子メール機能およびＷＷＷブラウザ（Ｗｅｂブラウザ）機能を有するパーソナルコンピュータ、ワークステーション、またはＰＤＡ（Ｐｅｒｓｏｎａｌ  Ｄｉｇｉｔａｌ  Ａｓｓｉｓｔａｎｔ）などが用いられる。通話システム１を利用するユーザは、電話機２および端末装置３を１台ずつ持つ必要がある。
【００２０】
なお、近年は、電子メール機能およびＷＷＷブラウザ機能を有する携帯電話端末またはＰＨＳ端末が提案されている。また、電話番号が割り当てられた、電話機能を有するパーソナルコンピュータまたはＰＤＡが提案されている。つまり、電話機２および端末装置３の両方の機能を備えた装置が提案されている。よって、ユーザは、電話機２および端末装置３を１台ずつ持つ代わりに、このような装置を１台持ってもよい。
【００２１】
以下、ユーザＢがユーザＡに電話を掛ける場合を例に説明する。ユーザＡの電話機２および端末装置３をそれぞれ「電話機２Ａ」および「端末装置３Ａ」と記載し、ユーザＢの電話機２および端末装置３をそれぞれ「電話機２Ｂ」および「端末装置３Ｂ」と記載することがある。また、ユーザＢを「発信元」と記載し、ユーザＡを「発信先」と記載することがある。
【００２２】
電話接続システム１０は、ユーザＡの電話機２ＡとユーザＢの電話機２Ｂとを接続させ、両電話機間での通話が可能な状態にするために必要な処理を行う。つまり、電話接続システム１０は、電話機２Ａ、２Ｂにとって電話の接続ゲートウェイの役割を果たす。電話接続システム１０を、図１に示すように１台のサーバ機によって構成してもよいし、複数台のサーバ機および種々の装置を組み合わせて構成してもよい。電話接続システム１０は、例えば、電話会社またはインターネットサービスプロバイダ（ＩＳＰ）などの接続事業者によって運営される。
【００２３】
電話接続システム１０は、図２に示すように、ＣＰＵ１０ａ、ＲＡＭ１０ｂ、ＲＯＭ１０ｃ、磁気記憶装置１０ｄ、ディスプレイ装置１０ｅ、マウスまたはキーボードなどの入力装置１０ｆ、および各種インタフェースなどによって構成される。磁気記憶装置１０ｄには、オペレーティングシステム（ＯＳ）および後に示す各機能を実現するためのプログラムおよびデータなどがインストールされている。これらのプログラムおよびデータは、必要に応じてＲＡＭ１０ｂにロードされ、ＣＰＵ１０ａによってプログラムが実行される。
【００２４】
このような構成により、電話接続システム１０には、図３に示すように、ユーザ登録処理部１０１、接続要求受付部１１１、受付ＩＤ発行部１１２、受付ＩＤ通知部１１３、第二の電話受付部１２１、通話要求通知部１２２、第一の電話受付部１２３、接続処理部１２４、不能メッセージ通知部１２５、切断処理部１２６、ユーザ情報記憶部１Ｄ１、および受付情報記憶部１Ｄ２などの機能が実現される。
【００２５】
ユーザ情報記憶部１Ｄ１は、図４に示すようなユーザ情報データベースＤＢ１を記憶し管理する。ユーザ情報データベースＤＢ１には、電話を掛けてもらう側のユーザに関する情報が格納される。例えば、「ユーザＩＤ＝ｔａｒｏｓａｎ」に対応する情報は、ユーザＡに関する情報である。
【００２６】
受付情報記憶部１Ｄ２は、図５に示すような受付情報データベースＤＢ２を記憶し管理する。受付情報データベースＤＢ２には、電話を掛けたい側のユーザ（例えばユーザＢ）から受け付けた、電話の接続の要求（例えばユーザＡに電話を掛けたい旨の要求）に関する情報が格納される。
【００２７】
ユーザ登録処理部１０１は、電話を掛けてもらう側のユーザのユーザ登録のための処理を行う。係る処理は、次のような手順で行われる。例えばユーザＡは、端末装置３Ａに所定のＵＲＬ（Ｕｎｉｆｏｒｍ  Ｒｅｓｏｕｒｃｅ  Ｌｏｃａｔｏｒ）を入力し、電話接続システム１０のＷｅｂサイトに設けられたユーザ登録用のＷｅｂページにアクセスする。
【００２８】
このとき、端末装置３Ａには、図６に示すような登録用画面ＨＧ１が表示される。ユーザＡは、登録用画面ＨＧ１の所定のテキストボックスＴＸに、電話機２Ａの電話番号、端末装置３Ａの電子メールアドレス、ユーザＡの希望するユーザＩＤ（希望ユーザＩＤ）、パスワード、および通話システム１の使用料を支払うために用いられるクレジットカードのカード番号などを入力する。入力後、登録ボタンＢＮ１をクリックする。すると、入力された情報が、登録情報７１として、電話接続システム１０に送信される。なお、図６および図８に示す各画面および図７、図９、および図１０に示す各メッセージは、例えば、ＨＴＭＬなどの言語によって記述されたハイパーテキストに基づいて生成される。
【００２９】
ユーザ登録処理部１０１は、端末装置３Ａから送信されてきた登録情報７１をチェックする。そして、記載ミスまたは記載漏れなどの不備がなければ、この登録情報７１を図４に示すユーザ情報データベースＤＢ１に格納（登録）するようにユーザ情報記憶部１Ｄ１に対して指令する。登録が完了すると、図７に示す登録完了メッセージＭＧ１を電子メールによって端末装置３Ａに送信する。
【００３０】
ユーザＡは、自分の電話番号すなわち電話機２Ａの電話番号を教えたくないが、電話で連絡をしてもらう必要がある相手に対して、自分の電話番号の代わりに、ユーザ登録処理部１０１に登録してもらったユーザＩＤを教えておく。例えば、ユーザＢにこのユーザＩＤを教えておく。ユーザＢは、このユーザＩＤを用いてユーザＡに電話を掛けることができる。
【００３１】
接続要求受付部１１１は、ユーザＢから、ユーザＡの電話機２Ａに電話を掛けたい旨の要求を受け付ける処理を行う。受付ＩＤ発行部１１２は、係る要求に対して受付ＩＤを発行するなどの処理を行う。これらの処理は、次のような手順で行われる。
【００３２】
ユーザＢは、自分の端末装置３Ｂに所定のＵＲＬを入力して図８に示す接続要求受付画面ＨＧ２を表示させる。接続要求受付画面ＨＧ２の所定のテキストボックスＴＸに、電話の相手のユーザＩＤすなわちユーザＡから教えられたユーザＩＤ、自分の電話機２Ｂに割り当てられた電話番号、および端末装置３Ｂの電子メールアドレスを入力し、発信ボタンＢＮ２をクリックする。すると、入力された情報が要求情報７２として電話接続システム１０に送信される。
【００３３】
接続要求受付部１１１は、端末装置３Ｂから送信されてきた要求情報７２を受け付ける。受付ＩＤ発行部１１２は、この要求情報７２に対して受付ＩＤを発行し、電話機２Ｂからの電話を受け付けるための第二の中継用電話番号ＴＮ２および電話機２Ａからの電話を受け付けるための第一の中継用電話番号ＴＮ１を割り当てる。そして、受付情報記憶部１Ｄ２に対して、要求情報７２、第二の中継用電話番号ＴＮ２、および第一の中継用電話番号ＴＮ１を受付ＩＤと対応付けて受付情報データベースＤＢ２（図５参照）に格納するように指令する。なお、受付情報データベースＤＢ２の発信先アドレスおよび発信先電話番号の項目（フィールド）には、接続要求受付画面ＨＧ２（図８参照）において指定されたユーザＩＤに対応する、ユーザ情報データベースＤＢ１（図４参照）に格納されている電子メールアドレスおよび電話番号がそれぞれ格納される。
【００３４】
格納が終わると、受付ＩＤ通知部１１３は、図９に示す受付完了メッセージＭＧ２を電子メールによって要求元であるユーザＢの端末装置３Ｂに送信する。この受付完了メッセージＭＧ２には、接続要求受付部１１１によって割り当てられた第二の中継用電話番号ＴＮ２および受付ＩＤが記載されている。
【００３５】
ユーザＢは、受け取った電子メール（受付完了メッセージＭＧ２）を確認した後、電話機２Ｂを操作して第二の中継用電話番号ＴＮ２にダイアルして電話を掛け、続けて受付ＩＤを指定する。この際、いわゆる発信者番号通知をオンにして、電話機２Ｂの電話番号を電話接続システム１０に知らせなければならない。後に説明する、ユーザＡが電話機２Ａで電話を掛ける場合も同様である。なお、ユーザＢが電話機２および端末装置３の両方の機能を併せ持つ装置を使用している場合は、受付完了メッセージＭＧ２の中の第二の中継用電話番号ＴＮ２を示すハイパーリンクをクリックすることによって、自動的に第二の中継用電話番号ＴＮ２へのダイアルおよび受付ＩＤの指定が行われる。
【００３６】
すると、電話接続システム１０において、第二の電話受付部１２１は、電話機２Ｂからの呼出しに応答し、電話機２Ｂとの通信を確立するとともに、指定された受付ＩＤを取得する。この受付ＩＤと発信者番号すなわち電話機２Ｂの電話番号とが対応付けられているか否かを、図５に示す受付情報データベースＤＢ２に基づいて判別する。例えば、電話機２Ａの電話番号（発信元電話番号）が「０７８−０１２−３４５６」であり第二の中継用電話番号ＴＮ２が「０６−１１１１−０００１」である場合は、受付ＩＤ「００００１」によって対応付けられていると判別される。
【００３７】
両者が対応付けられていない場合は、第二の電話受付部１２１は、要求を行ったユーザ以外の者が電話を掛けてきたものとみなし、要求を受け付けられない旨のメッセージを電話機２Ｂに与える。両者が対応付けられている場合は、通話要求通知部１２２は、受付情報データベースＤＢ２を参照して、取得された受付ＩＤに対応するユーザＡの端末装置３Ａ（発信先電子メールアドレス）に対して、電子メールによって図１０に示すような応答要求メッセージＭＧ３を送信する。この応答要求メッセージＭＧ３には、受付ＩＤに対応する第一の中継用電話番号ＴＮ１（図５参照）が記載されている。
【００３８】
ユーザＡは、受け取った応答要求メッセージＭＧ３を確認した後、電話機２Ａを操作して第一の中継用電話番号ＴＮ１に電話を掛ける。ユーザＡが電話機２および端末装置３の両方の機能を併せ持つ装置を使用している場合は、応答要求メッセージＭＧ３の中の第一の中継用電話番号ＴＮ１を示すハイパーリンクをクリックすることによって、自動的にダイアルされる。
【００３９】
すると、第一の電話受付部１２３は、電話機２Ａからの呼出しに応答し、電話機２Ａとの通信を確立する。電話機２Ａの電話番号と電話機２Ａがダイアルした第一の中継用電話番号ＴＮ１とが同じ受付ＩＤによって対応付けられているか否かを、図５に示す受付情報データベースＤＢ２に基づいて判別する。例えば、電話機２Ａの電話番号（発信先電話番号）が「０６−０１２３−００００」であり第一の中継用電話番号ＴＮ１が「０６−１１１１−０００２」である場合は、受付ＩＤ「００００１」によって対応付けられていると判別される。
【００４０】
両者が対応付けられていない場合は、電話を掛けてきたユーザ（ユーザＡ）がユーザＢの所望する正しい話し相手ではないものとみなし、ユーザＡおよびユーザＢに対して電話機２Ａと電話機２Ｂとの接続ができない旨のメッセージを与える。
【００４１】
両者が対応付けられていると判別された場合は、接続処理部１２４は、第二の中継用電話番号ＴＮ２に電話を掛けている際中の電話機２すなわちユーザＢの電話機２ＢとユーザＡの電話機２Ａとの接続を行う。具体的には、一方の電話機２から送信されてきた音声を他方の電話機２に送信（中継）する処理を行う。これにより、電話機２Ｂと電話機２Ａとの間での通話が可能になる。
【００４２】
切断処理部１２６は、電話接続システム１０と電話機２Ａまたは電話機２Ｂとの通信が切断された場合に、サービスの終了のための処理を行う。例えば、電話接続システム１０と電話機２Ａとの通信が切断された場合は、電話接続システム１０と電話機２Ｂとの通信を切断する。そして、通話時間（電話機２Ａと電話機２Ｂとの接続時間）に応じて、通話システム１による接続サービスの料金を算出する。そして、その料金の情報を、ユーザＡのユーザＩＤに対応する、図４に示すユーザ情報データベースＤＢ１の料金情報フィールドに追加する。また、このユーザＩＤを削除しまたは無効を示すフラグを立てるなどして、再利用できないようにする。
【００４３】
不能メッセージ通知部１２５は、ユーザＢが第二の中継用電話番号ＴＮ２に電話を掛けてから所定の時間（例えば１分）を経過しても、ユーザＡが第一の中継用電話番号ＴＮ１に電話を掛けなかった場合に、ユーザＡが呼出しに応答しなかった旨のメッセージをユーザＢの電話機２Ｂに与える。
【００４４】
図１１は電話接続システム１０の全体の処理の流れの例を説明するフローチャート、図１２はユーザＩＤ登録処理の流れの例を説明するフローチャート、図１３は受付ＩＤ発行処理の流れの例を説明するフローチャート、図１４は中継処理の流れの例を説明するフローチャートである。
【００４５】
次に、ユーザＡがユーザＢに教えたユーザＩＤに基づいて、ユーザＢがユーザＡに電話を掛ける場合の電話接続システム１０の処理の流れを、フローチャートを参照して説明する。
【００４６】
例えば、ユーザＡは、自分の電話番号をユーザＢに教えたくないが、ユーザＢからの電話連絡を待たなければならない事情ができたとする。そこで、ユーザＡは、自分の電話番号の代わりにユーザＢに教えるユーザＩＤを発行してもらうことにした。図１１において、電話接続システム１０は、ユーザＡのユーザＩＤを発行する処理を行う（＃１）。係る処理は、図１２に示す順序で行われる。
【００４７】
ユーザＡが端末装置３Ａの登録用画面ＨＧ１（図６参照）に入力した情報を登録情報７１として取得する（＃１１）。登録情報７１に不備がなければ、ユーザＡに対してユーザＩＤを発行する（＃１２）。ユーザＩＤは、登録用画面ＨＧ１においてユーザＡが自由に決めることができるが、電話接続システム１０が決めるようにしてもよい。なお、ユーザＡが決めたユーザＩＤが、既に発行されている他のユーザＩＤと重複する場合は、ユーザＩＤを決め直すように求める。
【００４８】
登録情報７１をユーザ情報データベースＤＢ１（図４参照）に登録（格納）する（＃１３）。ステップ＃１３の処理と並行してまたは前後して、発行されたユーザＩＤを図７に示すように端末装置３Ａに通知する（＃１４）。ユーザＡは、発行されたユーザＩＤをユーザＢに教える。
【００４９】
図１１に戻って、電話接続システム１０は、ユーザＡに電話を掛けたい旨の要求をユーザＢから受け付けると、係る要求に対応する受付ＩＤを発行する処理を行う（＃２）。係る処理は、図１３に示す順序で行われる。
【００５０】
ユーザＡのユーザＩＤ、ユーザＢの電話機２Ｂの電話番号、および端末装置３Ｂの電子メールアドレスの指定を、要求情報７２として受け付ける（＃２１）。なお、これらの指定は、接続要求受付画面ＨＧ２（図８参照）によって行われる。受け付けた要求情報７２に対して受付ＩＤを発行し（＃２２）、さらに、後にユーザＢからの電話を受け付けるための電話番号（第二の中継用電話番号ＴＮ２）およびユーザＡからの電話を受け付けるための電話番号（第一の中継用電話番号ＴＮ１）を割り当てる（＃２３）。
【００５１】
要求情報７２、第二の中継用電話番号ＴＮ２、および第一の中継用電話番号ＴＮ１を受付ＩＤと対応付けて受付情報データベースＤＢ２に登録（格納）する（＃２４）。ステップ＃２４の処理と並行してまたは前後して、受付ＩＤおよび第二の中継用電話番号ＴＮ２を、図９に示すようにユーザＢに通知する（＃２５）。
【００５２】
ユーザＢは、電話機２Ｂを操作し、通知された第二の中継用電話番号ＴＮ２にダイアルし、併せて受付ＩＤを指定する。すると、図１１に戻って、電話接続システム１０は、電話機２Ｂと電話機２Ａとを接続し、ユーザＡおよびユーザＢの音声の中継のための処理を行う（＃３）。係る処理は、図１４に示すような手順で行われる。
【００５３】
電話機２Ｂからの呼出しに応答し、ユーザＩＤを取得する（＃３１）。取得したユーザＩＤに対応する相手すなわちユーザＡに対して、ユーザＢが電話を掛けることを希望している旨を図１０に示すように通知する（＃３２）。この際に、図１３に示すステップ＃２３においてユーザＡに割り当てた第一の中継用電話番号ＴＮ１も通知する。
【００５４】
通知がなされた後、ユーザＡは、所定の時間（例えば１分）以内に電話機２Ａを操作して第一の中継用電話番号ＴＮ１に電話を掛けなければならない。電話接続システム１０は、所定の時間以内に電話が掛かってこなかった場合は（＃３３でＮｏ）、ユーザＢに対してユーザＡとの通話ができない旨のメッセージを送信する（＃３４）。
【００５５】
電話が掛かってきた場合は（＃３３でＹｅｓ）、その電話に応答し（＃３５）、図５に示す受付情報データベースＤＢ２を参照し、ユーザＡの発信者番号（発信先電話番号）、ユーザＢの発信者番号（発信元電話番号）、ユーザＡに割り当てられた第一の中継用電話番号ＴＮ１、およびユーザＢに割り当てられた第二の中継用電話番号ＴＮ２が、同じユーザＩＤによって対応付けられているか否かを判別する（＃３６）。
【００５６】
対応付けられている場合は（＃３６でＹｅｓ）、電話機２Ａと電話機２Ｂとを接続し、一方の電話機２から発信された音声を他方の電話機２に中継する処理を開始する（＃３７）。そして、いずれかの電話機２が電話を切った場合は、電話接続システム１０と電話機２Ａおよび電話機２Ｂとの通信を切断し、料金の課金などの処理を行う（＃３８）。
【００５７】
本実施形態によると、ユーザＡは、自分の電話番号をユーザＢに教えることなく、ユーザＢから電話を掛けてもらうことができる。また、受付ＩＤは１回の通話ごとに発行するので、通話後にその受付ＩＤを他人に知られても不正に使用されないようにすることができる。
【００５８】
ユーザＡは、従来の電話転送であれば知ることができなかった相手（ユーザＢ）の発信者番号を知ることができる。電話接続システム１０を運営する接続事業者は、ユーザＡ、ユーザＢの双方から掛かってきた電話を中継するので、電話料金が掛からなくて済み、電話料金のための課金システムが不要である。
【００５９】
本実施形態において、ユーザ登録処理部１０１、通話要求通知部１２２、および受付ＩＤ通知部１１３は、電子メールによってユーザＡまたはユーザＢに処理結果に関するメッセージを通知したが、電話機２Ａまたは電話機２Ｂを介して音声によって通知するようにしてもよい。
【００６０】
図５に示す受付情報データベースＤＢ２に、ユーザＡが電話を受けたくない相手を示す情報を格納（登録）しておいてもよい。そして、例えば、受付情報データベースＤＢ２にユーザＢの電話番号または電子メールアドレスが登録されている場合は、図３の接続要求受付部１１１は、ユーザＡに電話を掛けたい旨の要求をユーザＢから受けても、その要求を拒否するようにしてもよい。または、接続処理部１２４は、ユーザＡの電話とユーザＢの電話との接続（中継）を行わないようにしてもよい。
【００６１】
１人のユーザが複数のユーザＩＤを発行してもらい、相手ごとにそれぞれ異なるユーザＩＤを教えるようにしてもよい。そして、相手からの連絡を待つ必要がなくなった場合は、その相手に教えていたユーザＩＤを、図４に示すユーザ情報データベースＤＢ１から削除するようにすればよい。
【００６２】
その他、通話システム１、電話接続システム１０、電話機２、端末装置３の全体または各部の構成、処理内容、処理順序、処理を実行するタイミングなどは、本発明の趣旨に沿って適宜変更することができる。
（付記１）第一のユーザごとに当該第一のユーザの連絡先と当該第一のユーザを識別するためのユーザＩＤとを対応付けて記憶するユーザ情報記憶手段と、
第二のユーザから、第一のユーザに電話を掛けたい旨の要求を当該第一のユーザの前記ユーザＩＤとともに受け付ける要求受付手段と、
前記要求受付手段によって受け付けられた前記ユーザＩＤに対応する第一のユーザに対して、当該ユーザＩＤに対応する、前記ユーザ情報記憶手段に記憶されている連絡先に基づいて、第二のユーザが前記要求を行っている旨の通知を行う通知手段と、
前記通知を受けた第一のユーザから掛かってきた電話と当該通知に係る前記要求を行った第二のユーザから掛かってきた電話との接続を行う接続手段と、
を有してなることを特徴とする電話接続システム。
（付記２）第一のユーザごとに当該第一のユーザの連絡先と当該第一のユーザを識別するためのユーザＩＤとを対応付けて記憶するユーザ情報記憶手段と、
第二のユーザから、第一のユーザに電話を掛けたい旨の要求を当該第一のユーザの前記ユーザＩＤおよび当該第二のユーザの連絡先とともに受け付ける要求受付手段と、
前記要求受付手段によって受け付けられた前記要求ごとに当該要求を識別するための受付ＩＤを発行する受付ＩＤ発行手段と、
前記受付ＩＤ発行手段によって発行された前記受付ＩＤを、当該受付ＩＤに対応する前記要求を行った第二のユーザに対して、前記要求受付手段によって受け付けられた当該第二のユーザの連絡先に基づいて第二の通知を行う第二の通知手段と、
第二のユーザから掛かってきた第二の電話を、前記受付ＩＤおよび当該第二の電話の発信元を示す電話番号とともに受け付ける第二の電話受付手段と、
前記第二の電話受付手段によって受け付けられた前記受付ＩＤに対応する前記要求に係る第一のユーザに対して、前記ユーザ情報記憶手段に記憶されている当該第一のユーザの連絡先に基づいて、第二のユーザが前記要求を行っている旨および当該受付ＩＤとともに受け付けられた前記第二の電話の発信元を示す電話番号の通知である第一の通知を行う第一の通知手段と、
前記第一の通知を受けた第一のユーザから掛かってきた第一の電話を受け付ける第一の電話受付手段と、
前記第一の通知を受けた第一のユーザから掛かってきた前記第一の電話と当該第一の通知に係る前記要求を行った第二のユーザから掛かってきた前記第二の電話との接続を行う接続手段と、
を有してなることを特徴とする電話接続システム。
（付記３）前記ユーザ情報記憶手段は、第一のユーザの連絡先として当該第一のユーザの電子メールアドレスを記憶し、
前記要求受付手段は、第二のユーザの連絡先として当該第二のユーザの電子メールアドレスを受け付け、
前記第一の通知手段は、電子メールによって前記第一の通知を行い、
前記第二の通知手段は、電子メールによって前記第二の通知を行う、
付記２記載の電話接続システム。
（付記４）前記ユーザ情報記憶手段は、第一のユーザごとに当該第一のユーザにとって電話に応答したくない第二のユーザを記憶し、
前記接続手段は、前記第二の電話受付手段によって受け付けられた前記第二の電話を掛けてきた第二のユーザが、当該第二の電話とともに受け付けられた前記受付ＩＤに対応する前記要求に係る第一のユーザにとって電話に応答したくない第二のユーザでない場合にのみ、前記接続を行う、
付記２または付記３記載の電話接続システム。
（付記５）第一のユーザと第二のユーザとが電話による通話を行うための処理を行う電話接続システムであって、
第一のユーザごとに当該第一のユーザの電子メールアドレスおよび電話番号を当該第一のユーザを識別するためのユーザＩＤと対応付けて記憶するユーザ情報記憶手段と、
第二のユーザから、第一のユーザに電話を掛けたい旨の要求を、当該第一のユーザの前記ユーザＩＤおよび当該第二のユーザの電子メールアドレスおよび電話番号とともに受け付ける要求受付手段と、
前記要求受付手段によって受け付けられた前記要求に係る第一のユーザおよび当該要求を行った第二のユーザに対してそれぞれ当該電話接続システムの第一の電話番号および第二の電話番号を割り当てるとともに、当該要求に対して当該要求を識別するための受付ＩＤを発行する受付ＩＤ発行手段と、
前記要求受付手段によって受け付けられた前記要求に係る第一のユーザの、前記ユーザ情報記憶手段に記憶されている電話番号と、当該要求とともに受け付けられた第二のユーザの電話番号と、前記受付ＩＤ発行手段によって当該第一のユーザに割り当てられた前記第一の電話番号と、前記受付ＩＤ発行手段によって当該第二のユーザに割り当てられた前記第二の電話番号とを、前記受付ＩＤ発行手段によって発行された、当該要求に対応する前記受付ＩＤと対応付けて記憶する、受付情報記憶手段と、
前記受付ＩＤ発行手段によって発行された前記受付ＩＤを記載した電子メールを、当該受付ＩＤに対応する前記要求を行った第二のユーザの電子メールアドレスに送信することによって、当該第二のユーザに対して第二の通知を行う第二の通知手段と、
前記受付ＩＤ発行手段によって割り当てられた前記第二の電話番号を発信先として掛かってきた第二の電話を、当該第二の電話の発信元を示す電話番号とともに受け付ける第二の電話受付手段と、
第二の電話受付手段によって受け付けられた前記第二の電話の発信元を示す電話番号と第二のユーザが前記要求を行っている旨とを記載した電子メールを、前記ユーザ情報記憶手段に記憶されている、当該第二の電話とともに受け付けられた前記受付ＩＤに対応する前記要求に係る第一のユーザの電子メールアドレスに送信することによって、第一の通知を行う第一の通知手段と、
前記受付ＩＤ発行手段によって割り当てられた前記第一の電話番号を発信先として掛かってきた第一の電話を、当該第一の電話の発信元を示す電話番号とともに受け付ける第一の電話受付手段と、
前記第一の電話受付手段によって受け付けられた前記第一の電話の発信元を示す電話番号と、前記第二の電話受付手段によって受け付けられた前記第二の電話の発信元を示す電話番号と、当該第一の電話の発信先を示す前記第一の電話番号と、当該第二の電話の発信先を示す前記第二の電話番号とが、同一の前記受付ＩＤによって対応付けられている場合に、当該第一の電話と当該第二の電話との接続を行う接続手段と、
を有してなることを特徴とする電話接続システム。  ）
（付記６）第二のユーザが第一のユーザに電話を掛ける際の電話の接続処理を行い、第一のユーザごとに当該第一のユーザの連絡先と当該第一のユーザを識別するためのユーザＩＤとを対応付けて記憶する記憶手段にアクセス可能なコンピュータに用いられるコンピュータプログラムであって、
第二のユーザから、第一のユーザに電話を掛けたい旨の要求を当該第一のユーザの前記ユーザＩＤとともに受け付ける処理と、
受け付けられた前記ユーザＩＤに対応する第一のユーザに対して、当該ユーザＩＤに対応する、前記ユーザ情報記憶手段に記憶されている連絡先に基づいて、第二のユーザが前記要求を行っている旨の通知を行う処理と、
前記通知を受けた第一のユーザから掛かってきた電話と当該通知に係る前記要求を行った第二のユーザから掛かってきた電話との接続を行う処理と、
をコンピュータに実行させるためのコンピュータプログラム。  ）
【００６３】
【発明の効果】
本発明によると、自分の電話番号を教えることなく相手から電話を掛けてもらうことができる。
【図面の簡単な説明】
【図１】通話システムの構成の例を示す図である。
【図２】電話接続システムのハードウェア構成の例を示す図である。
【図３】電話接続システムの機能的構成の例を示す図である。
【図４】ユーザ情報データベースの例を示す図である。
【図５】受付情報データベースの例を示す図である。
【図６】登録用画面の例を示す図である。
【図７】登録完了メッセージの例を示す図である。
【図８】接続要求受付画面の例を示す図である。
【図９】受付完了メッセージの例を示す図である。
【図１０】応答要求メッセージの例を示す図である。
【図１１】電話接続システムの全体の処理の流れの例を説明するフローチャートである。
【図１２】ユーザＩＤ登録処理の流れの例を説明するフローチャートである。
【図１３】受付ＩＤ発行処理の流れの例を説明するフローチャートである。
【図１４】中継処理の流れの例を説明するフローチャートである。
【符号の説明】
１０  電話接続システム
１１１  接続要求受付部（要求受付手段）
１１２  受付ＩＤ発行部（受付ＩＤ発行手段）
１１３  受付ＩＤ通知部（第二の通知手段）
１２１  第二の電話受付部（第二の電話受付手段）
１２２  通話要求通知部（通知手段、第一の通知手段）
１２３  第一の電話受付部（第一の電話受付手段）
１２４  接続処理部（接続手段）
１Ｄ１  ユーザ情報記憶部（ユーザ情報記憶手段）
１Ｄ２  受付情報記憶部（受付情報記憶手段）
ＴＮ１  第一の中継用電話番号（第一の電話番号）
ＴＮ２  第二の中継用電話番号（第二の電話番号）
【図１】
2004228676.tif 000003
【図２】
2004228676.tif 000004
【図３】
2004228676.tif 000005
【図４】
2004228676.tif 000006
【図５】
2004228676.tif 000007
【図６】
2004228676.tif 000008
【図７】
2004228676.tif 000009
【図８】
2004228676.tif 000010
【図９】
2004228676.tif 000011
【図１０】
2004228676.tif 000012
【図１１】
2004228676.tif 000013
【図１２】
2004228676.tif 000014
【図１３】
2004228676.tif 000015
【図１４】
2004228676.tif 000016